(57)【要約】【課題】使用中にキャップが緩むことを抑制するプラグを得る。【解決手段】複数の電極が設けられた円柱状の電極部と、電極部の円柱の中心を通る軸の方向に沿って第１のネジが外周に螺旋状に形成され、複数の導線のそれぞれを複数の電極のそれぞれに電気的に接続する筒状のケーブル取付部と、電極部とケーブル取付部との間に設けられた基部と、基部よりもケーブル取付部側に配置された弾性リングと、第１のネジと噛み合わされる第２のネジが内壁に螺旋状に形成された筒状のキャップとを有し、キャップは、第２のネジが第１のネジに噛み合わされ、弾性リングと接触して配置されるものである。【選択図】図１
2020194647.tif 000002
【特許請求の範囲】
【請求項１】
複数の導線を有するケーブルが接続されるプラグであって、
複数の電極が設けられた円柱状の電極部と、
前記電極部の円柱の中心を通る軸の方向に沿って第１のネジが外周に螺旋状に形成され、前記複数の導線のそれぞれを前記複数の電極のそれぞれに電気的に接続する筒状のケーブル取付部と、
前記電極部と前記ケーブル取付部との間に設けられた基部と、
前記基部よりも前記ケーブル取付部側に配置された弾性リングと、
前記第１のネジと噛み合わされる第２のネジが内壁に螺旋状に形成された筒状のキャップと、を有し、
前記キャップは、前記第２のネジが前記第１のネジに噛み合わされ、前記弾性リングと接触して配置される、
プラグ。
【請求項２】
前記弾性リングは、前記基部と前記第１のネジとの間に配置され、
前記キャップは、前記キャップの端が前記弾性リングに接触する状態で前記ケーブル取付部に取り付けられる、請求項１に記載のプラグ。
【請求項３】
前記弾性リングは、前記キャップと接触する面に複数の突起が設けられている、請求項２に記載のプラグ。
【請求項４】
前記キャップは、前記基部の外周面を覆うように前記ケーブル取付部に取り付けられる、請求項１に記載のプラグ。
【請求項５】
前記弾性リングの最外周の直径は前記第１のネジを外周とする円の直径以上である、請求項４に記載のプラグ。
【発明の詳細な説明】
【技術分野】
【０００１】
本発明は、電気機器にケーブルを電気的に接続するためのプラグに関する。
【背景技術】
【０００２】
従来のプラグには、本体の外周面に螺旋状にネジが形成され、本体にケーブルが接続された後、内壁に螺旋状にネジが形成されたキャップが本体にネジ止めされるものがある。
【０００３】
プラグにキャップをネジ止めするタイプでは、プラグの使用中、振動などによってキャップが緩んでしまうことがある。ボンドなどの接着剤でキャップをプラグ本体に固定することも考えられるが、一度、接着剤でキャップをプラグ本体に固定してしまうと、ケーブルをつけ直すことが困難になり、プラグを再利用できない。
【０００４】
コネクタの緩み防止装置の一例が提案されている（例えば、特許文献１参照）。特許文献１に開示されたコネクタの緩み防止装置は、電気機器側の受座にネジ止めされるリングネジと本体とを有し、リングネジと本体との間の溝部に、弾力性を有する合成樹脂が緩み防止具として設けられる構成である。
【先行技術文献】
【特許文献】
【０００５】
【特許文献１】実開昭６２−１１６４７０号公報
【発明の概要】
【発明が解決しようとする課題】
【０００６】
特許文献１に開示されたコネクタは、電気機器とコネクタとがネジ止めされる構成であり、キャップがプラグ本体にネジ止めされるプラグとは構造が異なる。電気機器と頻繁に抜き差しするプラグに特許文献１に開示されたコネクタを適用すると、ユーザは電気機器とプラグを抜き差しする度に、緩み防止具を取り付けたり外したりする必要がある。そのため、ユーザは手間がかかるという問題がある。
【０００７】
本発明は、上記のような課題を解決するためになされたもので、使用中にキャップが緩むことを抑制するプラグを得るものである。
【課題を解決するための手段】
【０００８】
本発明に係るプラグは、複数の導線を有するケーブルが接続されるプラグであって、複数の電極が設けられた円柱状の電極部と、前記電極部の円柱の中心を通る軸の方向に沿って第１のネジが外周に螺旋状に形成され、前記複数の導線のそれぞれを前記複数の電極のそれぞれに電気的に接続する筒状のケーブル取付部と、前記電極部と前記ケーブル取付部との間に設けられた基部と、前記基部よりも前記ケーブル取付部側に配置された弾性リングと、前記第１のネジと噛み合わされる第２のネジが内壁に螺旋状に形成された筒状のキャップと、を有し、前記キャップは、前記第２のネジが前記第１のネジに噛み合わされ、前記弾性リングと接触して配置されるものである。
【発明の効果】
【０００９】
本発明によれば、基部よりもケーブル取付部側に弾性リングが設けられ、キャップが弾性リングと接触して配置される。そのため、プラグに振動が発生してもキャップの振動が弾性リングに吸収され、キャップが緩むことを抑制できる。
【図面の簡単な説明】
【００１０】
【図１】実施の形態１に係るプラグの一構成例を示す外観図である。
【図２】図１に示すプラグについて、ケーブルおよびキャップを取り付ける前の状態を示す外観上面図である。
【図３】図２に示したＡ−Ａ線分の断面図である。
【図４】図１に示した弾性リングの一構成例を示す外観図である。
【図５】図４に示した弾性リングの別の構成例を示す外観斜視図である。
【図６】実施の形態１に係るプラグに取り付けるケーブルの一構成例を示す外観模式図である。
【図７】図２に示したプラグにケーブルを取り付ける手順の一例を示す図である。
【図８】図７に示したプラグにキャップを取り付ける手順の一例を示す図である。
【図９】図８（ｂ）に示す破線で囲まれた部分の拡大図である。
【図１０】実施の形態２に係るプラグの一構成例を示す外観図である。
【図１１】図１０に示すプラグについて、ケーブルおよびキャップを取り付ける前の状態を示す外観上面図である。
【図１２】図１１に示したプラグを横から見た場合の側面図である。
【図１３】図１１に示したＢ−Ｂ線分の断面図である。
【図１４】図１１に示した弾性リングの一構成例を示す外観図および断面図である。
【図１５】図１１に示した弾性リングの別の構成例を示す断面図である。
【図１６】図１１に示したプラグに図６に示したケーブルを取り付けた後、キャップを取り付ける手順の一例を示す図である。
【図１７】図１６（ｂ）に示す破線で囲まれた部分の拡大図である。
【発明を実施するための形態】
【００１１】
実施の形態１．
本実施の形態１のプラグの構成を説明する。図１は、実施の形態１に係るプラグの一構成例を示す外観図である。図２は、図１に示すプラグについて、ケーブルおよびキャップを取り付ける前の状態を示す外観上面図である。図１に示すプラグ１は、はんだ付けをしなくても、プラグ側の端子とケーブル側の導線とを電気的に接続することができるソルダーレスタイプのプラグである。
【００１２】
図１および図２に示すように、プラグ１は、チップ１１およびスリーブ１２を備えた円柱状の電極部２と、ケーブル３０が取り付けられる筒状のケーブル取付部３と、円板状の基部４と、弾性リング５と、ケーブル取付部３を覆う筒状のキャップ６とを有する。基部４は、電極部２とケーブル取付部３との間に位置している。基部４の材料は、剛性が高い材料、例えば、金属である。基部４はケーブル取付部３に固定されている。
【００１３】
図２に示すように、ケーブル取付部３の外周の一部には、電極部２の円柱の中心を通る軸の方向（Ｘ軸矢印方向）に沿って螺旋状に設けられたネジ山およびネジ溝で構成される第１のネジ１４が形成されている。図１に示していないが、キャップ６の内壁には、第１のネジ１４と噛み合わされる第２のネジが螺旋状に形成されている。図１は、ユーザが図２に示すケーブル挿入口１７から挿入されたケーブル３０をケーブル取付部３に取り付けた後、第２のネジを第１のネジ１４に噛み合わせながらキャップ６を弾性リング５に接触するまでケーブル取付部３に取り付けた状態を示す。
【００１４】
チップ１１とスリーブ１２との間に絶縁リング１３が設けられている。チップ１１およびスリーブ１２は、絶縁リング１３および図に示さない絶縁体を介して、互いに絶縁された電極である。プラグ１が図に示さないジャックに接続されることで、これら２つの電極のそれぞれは、ジャック側に設けられた２つの電極のそれぞれと電気的に接続される。チップ１１およびスリーブ１２の材料は、導電性のある金属である。絶縁リング１３の材料は、例えば、樹脂である。スリーブ１２の直径は、例えば、６．３ｍｍである。
【００１５】
ケーブル取付部３の外周面には、開口７と、ビス穴８とが設けられている。ビス穴８にはビス２０が取り付けられる。ケーブル挿入口１７には絶縁リング４０が設けられている。絶縁リング４０は、プラグ１に取り付けられるケーブルの直径に応じて、ケーブル挿入口１７のサイズを調整するための部材である。絶縁リング４０は設けられていなくてもよい。
【００１６】
電極部２の円柱の軸を中心として、キャップ６の最外周の直径をｒ１とすると、本実施の形態１では、基部４および弾性リング５の最外周の直径もｒ１である。第１のネジ１４のネジ山を外周とする円の直径をｒ２とすると、ｒ１＞ｒ２の関係である。
【００１７】
図３は、図２に示したＡ−Ａ線分の断面図である。図２および図３に示すように、ケーブル取付部３は、ピン状端子９および板状端子１０を有する。ピン状端子９は中継軸１６を介してチップ１１と電気的に接続されている。中継軸１６の材料は導電性のある金属である。板状端子１０はスリーブ１２と電気的に接続されている。ピン状端子９および板状端子１０のうち、一方の端子がケーブル３０に含まれる２つの導線のうち、一方の導線と電気的に接続され、他方の端子がケーブル３０に含まれる２つの導線のうち、他方の導線と電気的に接続される。これらの接続方法は、後で説明する。
【００１８】
図４は、図１に示した弾性リングの一構成例を示す外観図である。弾性リング５の材料は、例えば、ゴムである。図４は弾性リング５の最外周の円の直径がｒ１である場合を示しているが、弾性リング５の最外周の円の直径は図１に示した基部４の直径より大きくてもよい。また、図３は、弾性リング５の断面の形状が矩形の場合を示しているが、弾性リング５の断面形状は矩形に限らない。弾性リング５の断面形状は円であってもよい。
【００１９】
図１および図２に示したように、図４に示した弾性リング５が基部４とキャップ６との間に挟まれるように配置されている。キャップ６が弾性リング５と接触していると、プラグ１が振動したとき、キャップ６に生じる振動が弾性リング５で吸収され、振動が基部４に直接、伝達されることを防止できる。そのため、キャップ６が緩んでしまうことが抑制される。
【００２０】
ここで、図４に示す弾性リング５について、別の構成例を説明する。図５は、図４に示した弾性リングの別の構成例を示す外観斜視図である。図５に示す弾性リング５１には、図１に示したキャップ６と接触する面に半球状の突起５２が複数設けられている。突起５２の材料も、ゴムなどの弾性体である。突起５２の材料は弾性リング５１の材料と同じであってもよい。図５に示す構成によれば、弾性リング５がキャップ６に押しつけられるように接触すると、弾性リング５によるキャップ６に対する弾性力が図４に示す構成よりも大きくなる効果が期待できる。その結果、プラグ１に発生する振動に起因してキャップ６が緩んでしまうことを抑制する効果が向上する。
【００２１】
なお、図５に示す構成例では、突起５２が４つ設けられているが、突起５２の数は４つに限らない。突起５２は複数設けられていればよい。複数の突起５２は、弾性リング５１を円とすると、隣り合う２つの突起５２を円周上の２点とする中心角が均等になるように配置されることが望ましい。弾性リング５１による弾性力が均等にキャップ６に伝達されるからである。
【００２２】
次に、プラグ１へのケーブル３０およびキャップ６の取り付け方法を説明する。はじめに、ケーブルの構成を説明する。図６は、実施の形態１に係るプラグに取り付けるケーブルの一構成例を示す外観模式図である。図６に示すケーブル３０は撚り線ケーブルである。
【００２３】
図６に示すように、ケーブル３０は、導線３１と、導線３１とは異なる導線３３とを有する。導線３１は、細い単線が複数撚り合わされた構成である。導線３１は絶縁体３２で覆われている。絶縁体３２の外周には導線３３が網状に設けられている。導線３３は保護皮膜３４で覆われている。導線３１および導線３３の材料は、例えば、銅である。絶縁体３２の材料は、例えば、ポリエチレンである。保護皮膜３４の材料は、例えば、ビニールである。
【００２４】
図７は、図２に示したプラグにケーブルを取り付ける手順の一例を示す図である。図７では、説明のためにケーブル３０の先端部分の断面を模式的に表している。実際には、ケーブル３０は、切断面しか露出しておらず、切断面以外は保護皮膜３４で覆われている。
【００２５】
ユーザは、図１に示したキャップ６をケーブル３０に通しておく。続いて、ユーザは、ビス２０を緩めた状態で、図７（ａ）に示すように、ケーブル３０をケーブル取付部３のケーブル挿入口１７に挿入する。その後、ユーザは、開口７でピン状端子９および板状端子１０の位置を確認しながら、図７（ｂ）に示すように、ケーブル３０をスリーブ１２側に押し込む。ピン状端子９に導線３１が押しつけられると、導線３１の撚り線が解けてピン状端子９にまとわりつくようにピン状端子９と接触する。また、ピン状端子９に導線３１が押しつけられるときに、板状端子１０は、絶縁体３２と導線３３との間に滑り込み、導線３３と接触する。その後、ユーザは、ビス２０を締めてケーブル３０をプラグ１に固定する。
【００２６】
図８は、図７に示したプラグにキャップを取り付ける手順の一例を示す図である。図８は、図７に示したプラグ１の側面方向（Ｙ軸矢印方向）を見た場合の図である。図８では、説明のために、プラグ１の内部を模式的に表し、キャップ６の断面を示している。実際には、ケーブル取付部３はキャップ６で覆われる。図８に示すように、キャップ６の内壁には、第２のネジ１５が形成されている。
【００２７】
図７を参照して説明したようにしてケーブル３０をケーブル取付部３に取り付けた後、ユーザは、図８（ａ）に示す矢印の方向にキャップ６を移動させる。キャップ６の先端が第１のネジ１４にぶつかると、ユーザは、キャップ６を時計回りの方向に回転させてキャップ６の第２のネジ１５を第１のネジ１４に噛み合わせる。図８（ｂ）に示すように、ユーザは、キャップ６の先端が弾性リング５に接触するまでキャップ６を時計回りの方向に回転させる。このようにして、ユーザが図１に示したキャップ６をケーブル取付部３に装着することで、キャップ６が弾性リング５に接触した状態が維持される。
【００２８】
図９は、図８（ｂ）に示す破線で囲まれた部分の拡大図である。図９の右側には、図９の左側の点線で囲まれた部分の拡大図を示す。図９では、説明のために、図８に示したキャップ６のハッチングの表示を省略している。
【００２９】
図８（ｂ）に示した状態でプラグ１に振動が発生した場合を仮定する。振動が原因で、図９の点線内に示すように、キャップ６が図９の左方向（Ｘ軸矢印と反対方向）に移動しようとする。この場合、弾性リング５は、キャップ６から左方向の力を受けるが、変形することで左方向の力を吸収する。そのため、キャップ６の左方向への移動が抑制される。一方、図９の点線内に示すように、キャップ６が図９の右方向（Ｘ軸矢印の方向）に移動しようとする。この場合、第２のネジ１５と第１のネジ１４とが接触している。これは、ユーザがキャップ６をケーブル取付部３に装着したとき、弾性リング５に接触するまでキャップ６を時計回りに回転させたことで、弾性リング５によって第２のネジ１５と第１のネジ１４とが接した状態で維持されているからである。そのため、キャップ６は右方向に移動しようとしても、移動することができない。その結果、プラグ１に発生した振動に対して、キャップ６が緩んでしまうことが抑制される。
【００３０】
また、ユーザは、キャップ６をケーブル取付部３に取り付ける際、図８に示したようにしてキャップ６の先端を弾性リング５に接触させた後、さらにキャップ６を回転させて弾性リング５を基部４の方向（Ｘ軸矢印と反対方向）に押しつけることがある。この場合、弾性リング５は、キャップ６から基部４の方向に押す力を受けると、形が変形するが、弾性力で元の形に戻ろうとしてキャップ６をケーブル３０の方向（Ｘ軸矢印の方向）に押す。このとき、キャップ６を指で触っていたユーザは、回転を妨げる抵抗力をキャップ６から指に感じ取る。そのため、ユーザは、弾性リング５が設けられていない場合に比べて、キャップ６がしっかりとケーブル取付部３に取り付けられた感触を得ることができる。
【００３１】
さらに、ユーザがキャップ６で弾性リング５を基部４の方向（Ｘ軸矢印と反対方向）に押しつけた状態で手を離すと、弾性リング５は基部４とキャップ６との間に挟まれて変形した状態を維持する。弾性リング５は、変形した状態を弾性力によって元の状態に戻ろうとして、基部４をスリーブ１２側に押し、キャップ６をケーブル３０の方向（Ｘ軸矢印の方向）に押す。基部４は剛性の高い材料であり、かつケーブル取付部３に固定されているため、キャップ６は基部４から弾性リング５を介してケーブル３０の方向に押される。そのため、第１のネジ１４と第２のネジ１５とが噛み合った状態でキャップ６はケーブル３０の方向に押され、ケーブル取付部３によるキャップ６の支持力が増す。その結果、プラグ１に発生する振動に対して、キャップ６の緩み抑制効果が向上する。
【００３２】
本実施の形態１のプラグ１は、電極部２と、第１のネジ１４が外周に螺旋状に形成されたケーブル取付部３と、基部４と、基部４と第１のネジ１４との間に配置された弾性リング５と、ケーブル取付部３に取り付けられるキャップ６とを有する。キャップ６は、第１のネジ１４と噛み合わされる第２のネジ１５が内壁に螺旋状に形成されている。キャップ６は、第２のネジ１５が第１のネジ１４に噛み合わされ、キャップ６の端が弾性リング５に接触する状態でケーブル取付部３に取り付けられる。
【００３３】
本実施の形態１によれば、基部４とキャップ６との間に弾性リング５が設けられ、キャップ６が弾性リング５に接触して配置される。そのため、プラグ１に振動が発生すると、プラグ１の軸の方向に対するキャップ６の振動が弾性リング５に吸収される。その結果、キャップ６が緩むことを抑制できる。
【００３４】
実施の形態２．
本実施の形態２のプラグは、弾性リングがキャップに対して、プラグの軸を中心として放射方向に押すことで、キャップが固定されるものである。本実施の形態２では、実施の形態１で説明した構成と同一の符号を付し、その詳細な説明を省略する。
【００３５】
本実施の形態２のプラグの構成を説明する。図１０は、実施の形態２に係るプラグの一構成例を示す外観図である。図１１は、図１０に示すプラグについて、ケーブルおよびキャップを取り付ける前の状態を示す外観上面図である。図１０に示すプラグ１ａは、実施の形態１と同様に、ソルダーレスタイプのプラグである。
【００３６】
図１０および図１１に示すように、プラグ１ａは、電極部２と、ケーブル３０が取り付けられる筒状のケーブル取付部３ａと、円板状の基部４ａと、弾性リング５ａと、キャップ６とを有する。基部４ａは、電極部２とケーブル取付部３ａとの間に位置している。基部４ａの材料は、剛性が高い材料、例えば、金属である。基部４ａはケーブル取付部３ａに固定されている。
【００３７】
図１１に示すように、ケーブル取付部３ａの外周の一部には、電極部２の円柱の中心を通る軸の方向に沿って螺旋状に第１のネジ１４が形成されている。図１０は、ユーザが図１１に示すケーブル挿入口１７から挿入されたケーブル３０をケーブル取付部３ａに取り付けた後、キャップ６の先端側が基部４ａの外周面を覆うまでキャップ６をケーブル取付部３ａに取り付けた状態を示す。
【００３８】
電極部２の円柱の軸を中心として、キャップ６の最外周の直径をｒ１とする。本実施の形態２では、基部４ａおよび弾性リング５ａの最外周の直径は、第１のネジ１４のネジ山を外周とする円の直径と同じｒ２である。キャップ６の最外周の直径ｒ１と基部４ａおよび弾性リング５ａの最外周の直径ｒ２との関係は、ｒ１＞ｒ２である。
【００３９】
図１２は、図１１に示したプラグを横から見た場合の側面図である。図１２は、説明のために、図１１に示した弾性リング５ａを取り外した状態を示す。図１３は、図１１に示したＢ−Ｂ線分の断面図である。図１２に示すように、基部４ａと第１のネジ１４との間には溝１８が形成されている。図１１に示したように、溝１８に弾性リング５ａが装着される。図１１〜図１３に示すように、ケーブル取付部３ａは、ピン状端子９および板状端子１０を有する。ピン状端子９および板状端子１０の構成および役目は、実施の形態１で説明した構成と同様なため、その詳細な説明を省略する。
【００４０】
図１４は、図１１に示した弾性リングの一構成例を示す外観図および断面図である。図１４（ａ）は図１１に示した弾性リングの外観図であり、図１４（ｂ）は図１１に示した弾性リングの断面図である。弾性リング５ａの材料は、例えば、ゴムである。図１４（ａ）は、弾性リング５ａの最外周の円の直径がｒ２の場合を示す。図１４（ｂ）に示すように、弾性リング５ａの断面形状は、例えば、矩形である。弾性リング５ａの断面形状は矩形に限らない。弾性リング５ａの断面形状は円であってもよい。
【００４１】
図１５は、図１１に示した弾性リングの別の構成例を示す断面図である。図１５（ａ）に示す弾性リング５３は、弾性リング５ａの別の構成例であり、断面形状が円の場合である。また、図１４に示した弾性リング５ａの最外周の円の直径がｒ２よりも大きくてもよい。図１５（ｂ）に示す弾性リング５３ａは、弾性リング５の別の構成例であり、断面形状が円の場合である。弾性リング５３ａは、断面形状の円の中心を結ぶ線で構成される円の直径がｒ２であるため、最外周の円の直径がｒ２よりも大きい。
【００４２】
次に、本実施の形態２のプラグ１ａへのキャップ６の取り付け方法を説明する。プラグ１ａへのケーブル３０の取り付け方法は、実施の形態１において図７を参照して説明した手順と同様になるため、本実施の形態２では、その説明を省略する。図１６は、図１１に示したプラグに図６に示したケーブルを取り付けた後、キャップを取り付ける手順の一例を示す図である。図１６では、説明のために、プラグ１ａの内部を模式的に表し、キャップ６の断面を示している。実際には、ケーブル取付部３ａはキャップ６で覆われる。図９に示すように、キャップ６の内壁には、第２のネジ１５が形成されている。
【００４３】
ケーブル３０をケーブル取付部３ａに取り付けた後、ユーザは、図１６（ａ）に示す矢印の方向にキャップ６を移動させる。キャップ６の先端が第１のネジ１４にぶつかると、ユーザは、キャップ６を時計回りの方向に回転させてキャップ６の第２のネジ１５を第１のネジ１４に噛み合わせる。ユーザは、キャップ６を時計回りの方向に回転させる。図１６（ｂ）に示すように、ユーザは、キャップ６の先端側が基部４ａの外周面を覆う状態になるまでキャップ６を時計回りの方向に回転させる。このようにして、ユーザがキャップ６をケーブル取付部３ａに装着すると、図１６（ｂ）に示すように、キャップ６が弾性リング５ａに接触し、キャップ６が弾性リング５ａと接触する状態が維持される。
【００４４】
図１７は、図１６（ｂ）に示す破線で囲まれた部分の拡大図である。図１７の右側には、図１７の左側の点線で囲まれた部分の拡大図を示す。図１７では、説明のために、図１６に示したキャップ６のハッチングの表示を省略している。
【００４５】
図１７の左側および右側のそれぞれの拡大図に示すように、弾性リング５ａは、第１のネジ１４と第２のネジ１５との隙間に生じた空間を埋めるように変形している。弾性リング５ａが変形することで、弾性リング５ａの弾性力が外向きに働く。そのため、キャップ６は、基部４ａおよびケーブル取付部３ａに対して弾性リング５ａを介して支持される。
【００４６】
ここで、図１６（ｂ）に示した状態で、プラグ１ａに振動が発生した場合を仮定する。振動が原因でキャップ６が移動しようとしても、図１７の右側の拡大図に示すように、キャップ６は弾性リング５ａの弾性力によって上方向および斜めの方向に力を受けている。そのため、キャップ６の移動が抑制される。その結果、プラグ１ａに発生した振動に対して、キャップ６が緩んでしまうことが抑制される。さらに、図１５（ｂ）に示した弾性リング５３ａの場合、第１のネジ１４と第２のネジ１５との隙間を埋める弾性体の体積が増すため、キャップ６の緩み防止効果が向上する。
【００４７】
本実施の形態２のプラグ１ａは、電極部２と、第１のネジ１４が外周に螺旋状に形成されたケーブル取付部３ａと、基部４ａと、基部４ａと第１のネジ１４との間に配置された弾性リング５ａと、ケーブル取付部３ａに取り付けられるキャップ６とを有する。弾性リング５ａの最外周の直径は第１のネジ１４を外周とする円の直径ｒ２以上である。キャップ６は、第２のネジ１５が第１のネジ１４に噛み合わされ、基部４ａの外周面を覆うようにケーブル取付部３ａに取り付けられる。
【００４８】
本実施の形態２によれば、基部４ａと第１のネジ１４との間に弾性リング５ａが設けられ、キャップ６が弾性リング５ａと接触しながら弾性リング５ａおよび基部４ａを覆うように配置される。そのため、プラグ１ａに振動が発生しても、キャップ６に発生する振動が弾性リング５ａに吸収される。また、キャップ６は、プラグ１ａの軸を中心として放射方向に弾性リング５ａの弾性力によって支持されるため、振動によって移動することが抑制される。その結果、キャップ６が緩むことを抑制できる。
【００４９】
なお、本実施の形態２では、基部４ａと第１のネジ１４との間に溝１８および弾性リング５ａが配置されている場合で説明したが、溝１８および弾性リング５ａは基部４ａよりもケーブル取付部３ａ側にあればよい。例えば、第１のネジ１４の途中に溝１８および弾性リング５ａが配置されてもよい。
【００５０】
また、上述の実施の形態１および２では、プラグ側の端子とケーブル側の導線との接続にはんだ付けが不要なソルダーレスタイプのプラグの場合で説明したが、上述の実施の形態１および２が適用されるプラグはソルダーレスタイプに限らない。実施の形態１および２のプラグは、プラグ側の端子とケーブル側の導線との接続にはんだ付けが必要なタイプであってもよい。
【符号の説明】
【００５１】
１、１ａ  プラグ、２  電極部、３、３ａ  ケーブル取付部、４、４ａ  基部、５、５ａ  弾性リング、６  キャップ、７  開口、８  ビス穴、９  ピン状端子、１０  板状端子、１１  チップ、１２  スリーブ、１３  絶縁リング、１４  第１のネジ、１５  第２のネジ、１６  中継軸、１７  ケーブル挿入口、１８  溝、２０  ビス、３０  ケーブル、３１  導線、３２  絶縁体、３３  導線、３４  保護皮膜、４０  絶縁リング、５１  弾性リング、５２  突起、５３、５３ａ  弾性リング。
【図１】
2020194647.tif 000003
【図２】
2020194647.tif 000004
【図３】
2020194647.tif 000005
【図４】
2020194647.tif 000006
【図５】
2020194647.tif 000007
【図６】
2020194647.tif 000008
【図７】
2020194647.tif 000009
【図８】
2020194647.tif 000010
【図９】
2020194647.tif 000011
【図１０】
2020194647.tif 000012
【図１１】
2020194647.tif 000013
【図１２】
2020194647.tif 000014
【図１３】
2020194647.tif 000015
【図１４】
2020194647.tif 000016
【図１５】
2020194647.tif 000017
【図１６】
2020194647.tif 000018
【図１７】
2020194647.tif 000019
【手続補正書】
【提出日】令和1年8月22日(2019.8.22)
【手続補正１】
【補正対象書類名】明細書
【補正対象項目名】０００８
【補正方法】変更
【補正の内容】
【０００８】
本発明に係るプラグは、複数の導線を有するケーブルが接続されるプラグであって、複数の電極が設けられた円柱状の電極部と、前記電極部の円柱の中心を通る軸の方向に沿って第１のネジが外周に螺旋状に形成され、前記複数の導線のそれぞれを前記複数の電極のそれぞれに電気的に接続する筒状のケーブル取付部と、前記電極部と前記ケーブル取付部との間に設けられた基部と、前記基部よりも前記ケーブル取付部側であって前記基部と前記第１のネジとの間に配置された弾性リングと、前記第１のネジと噛み合わされる第２のネジが内壁に螺旋状に形成された筒状のキャップと、を有し、前記キャップは、前記第２のネジが前記第１のネジに噛み合わされ、前記弾性リングと接触して配置され、前記キャップは、前記キャップの端が前記弾性リングに接触する状態で前記ケーブル取付部に取り付けられ、前記弾性リングは、前記キャップと接触する面に複数の突起が設けられているものである。
【手続補正２】
【補正対象書類名】特許請求の範囲
【補正対象項目名】全文
【補正方法】変更
【補正の内容】
【特許請求の範囲】
【請求項１】
複数の導線を有するケーブルが接続されるプラグであって、
複数の電極が設けられた円柱状の電極部と、
前記電極部の円柱の中心を通る軸の方向に沿って第１のネジが外周に螺旋状に形成され、前記複数の導線のそれぞれを前記複数の電極のそれぞれに電気的に接続する筒状のケーブル取付部と、
前記電極部と前記ケーブル取付部との間に設けられた基部と、
前記基部よりも前記ケーブル取付部側であって前記基部と前記第１のネジとの間に配置された弾性リングと、
前記第１のネジと噛み合わされる第２のネジが内壁に螺旋状に形成された筒状のキャップと、を有し、
前記キャップは、前記第２のネジが前記第１のネジに噛み合わされ、前記弾性リングと接触して配置され、
前記キャップは、前記キャップの端が前記弾性リングに接触する状態で前記ケーブル取付部に取り付けられ、
前記弾性リングは、前記キャップと接触する面に複数の突起が設けられている、
プラグ。
【請求項２】
複数の導線を有するケーブルが接続されるプラグであって、
複数の電極が設けられた円柱状の電極部と、
前記電極部の円柱の中心を通る軸の方向に沿って第１のネジが外周に螺旋状に形成され、前記複数の導線のそれぞれを前記複数の電極のそれぞれに電気的に接続する筒状のケーブル取付部と、
前記電極部と前記ケーブル取付部との間に設けられた基部と、
前記基部よりも前記ケーブル取付部側に配置された弾性リングと、
前記第１のネジと噛み合わされる第２のネジが内壁に螺旋状に形成された筒状のキャップと、を有し、
前記キャップは、前記第２のネジが前記第１のネジに噛み合わされ、前記弾性リングと接触して配置され、
前記キャップは、前記基部の外周面を覆うように前記ケーブル取付部に取り付けられる、
プラグ。
【請求項３】
前記弾性リングの最外周の直径は前記第１のネジを外周とする円の直径以上である、請求項２に記載のプラグ。